Podtech/llm-jp-corpus-v4-ja_patent huggingface dataset:
【手続補正書】
【提出日】平成25年6月21日(2013.6.21)
【手続補正１】
【補正対象書類名】特許請求の範囲
【補正対象項目名】全文
【補正方法】変更
【補正の内容】
【特許請求の範囲】
【請求項１】
少なくとも第１及び第２素子基板を含む複数の素子基板と、機器に接続するための接続手段とを備えるデバイスであって、
前記第１及び第２の素子基板は、
駆動素子と、
前記接続手段へ信号を出力するための出力端子と、
信号を生成する、少なくとも１つの生成手段と、
前記出力端子の状態として、ハイインピーダンス状態と前記生成手段によって生成された信号を出力する状態を、選択信号に基づいて選択する選択手段とを有し、
前記第１及び第２素子基板が有するそれぞれの出力端子は前記接続手段に並列に接続され、前記第１及び第２素子基板は、前記接続手段を介してそれぞれ対応する選択信号を前記機器から個別に受信することを特徴とするデバイス。
【請求項２】
前記生成手段は、少なくとも第１信号を生成する第１生成部と第２信号を生成する第２生成部を有し、
前記選択手段は、前記選択信号に基づいて前記第１信号、前記第２信号のうちの１つを選択して、前記出力端子へ出力することを特徴とすることを特徴とする請求項１に記載のデバイス。
【請求項３】
前記選択手段は、前記ハイインピーダンス状態と前記生成手段によって生成された信号を出力する状態を切換える３ステートバッファを有することを特徴とする請求項１または２に記載のデバイス。
【請求項４】
前記生成手段は、前記デバイスの温度に対応した信号を生成する温度検知素子、前記駆動素子の駆動を制御するための電圧を生成する電圧生成部を含むことを特徴とする請求項１乃至３のいずれか１項に記載のデバイス。
【請求項５】
前記機器は、前記複数の素子基板に含まれる１つの素子基板の出力端子から信号を受信するために、前記複数の素子基板に含まれる他の素子基板の出力端子がハイインピーダンス状態になるように選択信号を生成する選択信号生成手段を備えることを特徴とする請求項１乃至４のいずれか１項に記載のデバイス。
【請求項６】
前記第１及び第２の素子基板は、それぞれ複数のビットで構成される選択信号が入力される入力端子を有することを特徴とする請求項１乃至５のいずれか１項に記載のデバイス。
【請求項７】
前記入力端子は、前記選択信号とデータ信号を受信し、前記駆動素子は、前記データ信号に基づいて駆動がなされることを特徴とする請求項６に記載のデバイス。
【請求項８】
前記デバイスは記録ヘッドであり、前記機器は記録装置であることを特徴とする請求項１乃至７のいずれか１項に記載のデバイス。
【手続補正２】
【補正対象書類名】明細書
【補正対象項目名】０００７
【補正方法】変更
【補正の内容】
【０００７】
上記課題を解決するために、本発明のデバイスは、少なくとも第１及び第２素子基板を含む複数の素子基板と、機器に接続するための接続手段とを備えるデバイスであって、前記第１及び第２の素子基板は、駆動素子と、前記接続手段へ信号を出力するための出力端子と、信号を生成する、少なくとも１つの生成手段と、前記出力端子の状態として、ハイインピーダンス状態と前記生成手段によって生成された信号を出力する状態を、選択信号に基づいて選択する選択手段とを有し、前記第１及び第２素子基板が有するそれぞれの出力端子は前記接続手段に並列に接続され、前記第１及び第２素子基板は、前記接続手段を介してそれぞれ対応する選択信号を前記機器から個別に受信することを特徴とする。
【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
液体をノズルから噴射する液体噴射ヘッドと、
前記液体噴射ヘッドへ供給される前記液体を収容する液体収容部と、
前記液体噴射ヘッドと前記液体収容部との間の液体供給路に配置されるフィルターを含むフィルター室と、
を備える液体噴射装置であって、
前記フィルターが前記フィルター室内において前記液体を通過させるように配置する第１の状態と、
前記フィルターが前記フィルター室内において前記第１の状態から傾斜して前記液体を傾斜させた方向に流れるように配置する第２状態と、
を有することを特徴とする液体噴射装置。
【請求項２】
前記フィルターと前記液体噴射ヘッドとの間に配置され、前記第２の状態のときに、前記フィルターに沿って流れた前記液体を前記フィルター室から排出する排出手段を有することを特徴とする請求項１に記載の液体噴射装置。
【請求項３】
前記排出手段は、前記液体噴射ヘッドのノズルを通過せずに排出することを特徴とする請求項２に記載の液体噴射装置。
【請求項４】
前記排出手段は、前記第２の状態のときに、前記フィルター室内を減圧して前記液体を吸引する吸引ポンプを含むことを特徴とする請求項２又は３に記載の液体噴射装置。
【請求項５】
前記液体収容部に収容される前記液体に加圧力を付与する加圧機構を有し、
前記排出手段は、前記第２の状態のときに、前記加圧機構による加圧力を利用して前記液体を前記フィルター室から排出することを特徴とする請求項２又は３に記載の液体噴射装置。
【請求項６】
前記第２の状態のときに、前記液体噴射ヘッドの前記ノズルが形成されたノズル形成面に当接する当接手段を有することを特徴とする請求項４又は５に記載の液体噴射装置。
【請求項７】
前記吸引ポンプにおける吸引力が前記ノズルのメニスカス耐圧以下に設定されることを特徴とする請求項４に記載の液体噴射装置。
【請求項８】
前記加圧機構による加圧力が前記ノズルのメニスカス耐圧以下に設定されることを特徴とする請求項５に記載の液体噴射装置。
【手続補正２】
【補正対象書類名】明細書
【補正対象項目名】０００６
【補正方法】変更
【補正の内容】
【０００６】
上記の課題を解決するために、本発明の液体噴射装置は、液体をノズルから噴射する液体噴射ヘッドと、前記液体噴射ヘッドへ供給される前記液体を収容する液体収容部と、前記液体噴射ヘッドと前記液体収容部との間の液体供給路に配置されるフィルターを含むフィルター室と、を備える液体噴射装置であって、前記フィルターが前記フィルター室内において前記液体を通過させるように配置する第１の状態と、前記フィルターが前記フィルター室内において前記第１の状態から傾斜して前記液体を傾斜させた方向に流れるように配置する第２状態と、を有することを特徴とする。
【手続補正３】
【補正対象書類名】明細書
【補正対象項目名】０００７
【補正方法】変更
【補正の内容】
【０００７】
本発明の液体噴射装置によれば、液体がフィルターを通過する第１の状態により、液体内の気泡をフィルターでトラップすることができる。そして液体がフィルターに沿って流れる第２の状態とすることで、フィルターに付着した気泡を外部に排出させやすくすることができる。また、第１の状態と第２の状態とをフィルターを傾斜させることによって容易に切替えることができる。よって、フィルターに気泡が溜まることでヘッド内の流路抵抗が増加して液体が液体噴射ヘッドに供給されなくなるといった不具合の発生を防止できる。
【手続補正書】
【提出日】平成25年5月16日(2013.5.16)
【手続補正１】
【補正対象書類名】明細書
【補正対象項目名】００１８
【補正方法】変更
【補正の内容】
【００１８】
コントローラユニット３１３は、ＣＰＵ３０１、ＦｌａｓｈＲＯＭ（Read Only Memory）３０２、ＲＡＭ（Random Access Memory）３０３を備える。また、コントローラユニット３１３は、ＮＶＭＥＭ（Non-Volatile Memory ）３０４、ＬＡＮＩ／Ｆ３１１、Ｉｍａｇｅ  ＢｕｓＩ／Ｆ３０６、ＵＳＢＩ／Ｆ３０７を備える。また、コントローラユニット３１３は、ＲＩＰ（Raster Image Processor）３０８、プリンタＩ／Ｆ３１０、画像処理部３０９を備える。
【手続補正２】
【補正対象書類名】明細書
【補正対象項目名】００１９
【補正方法】変更
【補正の内容】
【００１９】
ＣＰＵ３０１は、コントローラユニット３１３全体を制御するプロセッサである。ＲＡＭ３０３は、ＣＰＵ３０１が動作するためのシステムワークメモリである。ＲＡＭ３０３は、プログラムを記録するためのプログラムメモリや、画像データを一時記録するための画像メモリでもある。ＮＶＭＥＭ３０４は、不揮発性のメモリであり、設定情報等を記録する。ＦｌａｓｈＲＯＭ３０２は、書き換え可能な不揮発性メモリである。ＦｌａｓｈＲＯＭ３０２には、デバイス１０３を制御するための各種制御プログラムが予め記録される。ＵＳＢＩ／Ｆ３０７は、ＰＣ１０２とのＵＳＢ接続を可能にする。ＬＡＮＩ／Ｆ３１１は、ＰＣ１０２とのＬＡＮ接続を可能にする。Ｉｍａｇｅ  ＢＵＳＩ／Ｆ３０６は、システムバス３０５と画像データを高速で転送する画像バス３１２とを接続し、データ構造を変換するバスブリッジである。ＣＰＵ３０１乃至ＵＳＢＩ／Ｆ３０７は、システムバス３０５上に配置される。
【手続補正３】
【補正対象書類名】明細書
【補正対象項目名】００３８
【補正方法】変更
【補正の内容】
【００３８】
トナー色違い８０７は、いずれかの色に対応するトナーカートリッジ（７３０Ｙ、７３０Ｍ、７３０Ｃ、７３０Ｂｋ）が、誤った現像スリーブ（７３１Ｙ、７３１Ｍ、７３１Ｃ、７３１Ｂｋ）にセットされている状態を示す。準備中８０５は、デバイス１０３が印刷可能な状態に移行するための準備を行っている状態であることを示す。トナー回転中は、前述した移動中状態であり、デバイス１０３がトナーカートリッジ（７３０Ｙ、７３０Ｍ、７３０Ｃ、７３０Ｂｋ）のいずれかを交換可能位置へ移動させる動作を行っている状態に対応する。デバイス１０３が備えるプリンタ部３１４が各々のステータスを取得し、コントローラユニット３１３が、プリンタ部３１４が取得したステータスをプリンタ部３１４から受け取ることによって、デバイス１０３のステータスを検知する。コントローラユニット３１３が、検知したステータスをＵＳＢＩ／Ｆ３０７またはＬＡＮＩ／Ｆ３１１を介してＵＩアプリケーションへ通知する。そして、ＵＩアプリケーションが通知されたステータスを画面表示する。
【手続補正４】
【補正対象書類名】図面
【補正対象項目名】図２
【補正方法】変更
【補正の内容】
【図２】
2012000797.tif 000001
【手続補正書】
【提出日】平成25年10月31日(2013.10.31)
【手続補正１】
【補正対象書類名】特許請求の範囲
【補正対象項目名】請求項１
【補正方法】変更
【補正の内容】
【請求項１】
ハウジングと、
該ハウジング内に収容され、一方向に延出する出力軸を有するブラシレスモータと、
該ブラシレスモータにより回転駆動され被加工部材を切断する切断刃と、
該ハウジングに設けられ、該切断刃の外周の略半分を覆うソーカバーと、
該ソーカバー又は該ハウジングを回動可能に支持すると共に該被加工部材に当接し、該切断刃を突出させる開口部が形成されたベースと、
該ハウジングに設けられるハンドルと、を備え、
該ハンドルは、該一方向において該ハンドル下方に重心が位置するよう、該ブラシレスモータと該切断刃の間に設けられていることを特徴とする携帯用切断機。
【手続補正２】
【補正対象書類名】明細書
【補正対象項目名】０００６
【補正方法】変更
【補正の内容】
【０００６】
上記課題を解決するために本発明は、ハウジングと、該ハウジング内に収容され、一方向に延出する出力軸を有するブラシレスモータと、該ブラシレスモータにより回転駆動され被加工部材を切断する切断刃と、該ハウジングに設けられ、該切断刃の外周の略半分を覆うソーカバーと、該ソーカバー又は該ハウジングを回動可能に支持すると共に該被加工部材に当接し、該切断刃を突出させる開口部が形成されたベースと、該ハウジングに設けられるハンドルと、を備え、該ハンドルは、該一方向において該ハンドル下方に重心が位置するよう、該ブラシレスモータと該切断刃の間に設けられていることを特徴とする携帯用切断機を提供している。
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
２つの刃のうちの一方の刃と、他方の刃とを噛み合わせることで切断対象物を切断する切断方法であって、
前記他方の刃の刃先を前記一方の刃の刃先に対して平行に維持した状態のまま、前記他方の刃が前記一方の刃に接しながら噛み合うように前記他方の刃を移動させて前記切断対象物を切断し、
前記他方の刃は、斜面が形成されたガイド部を備え、
前記斜面が前記一方の刃と摺接しつつ前記他方の刃と前記一方の刃との隙間が略ゼロになるように前記他方の刃と前記一方の刃の位置を調整する、
ことを特徴とする切断方法。
【請求項２】
前記一方の刃を固定する、
ことを特徴とする請求項１に記載の切断方法。
【請求項３】
前記一方の刃と前記他方の刃とを平行に接するように移動させて前記切断対象物を切断する、
ことを特徴とする請求項１又は請求項２に記載の切断方法。
【請求項４】
２つの刃を噛み合わせることで切断対象物を切断する切断装置であって、
２つの刃のうちの一方の刃が固定される固定プレートと、
前記固定プレートに対向するように設けられ、前記固定プレートに向かって移動する移動プレートと、
前記移動プレートの前記固定プレートとの対向面に設けられ、前記２つの刃のうちの他方の刃が固定されるとともに前記対向面の面内方向に移動可能な可動ユニットと、
前記他方の刃の刃先が前記一方の刃の刃先に対して平行に維持された状態のまま、前記他方の刃が前記一方の刃に接しながら噛み合うように、少なくとも前記２つの刃の噛み合い時に前記可動ユニットを前記一方の刃に向けて押圧する押圧部と、
を備え、
前記他方の刃は、前記一方の刃と噛み合う前にその一方の刃と摺接しつつ前記他方の刃と前記一方の刃との隙間が略ゼロになるように前記他方の刃と前記一方の刃の位置を調整する斜面が形成されたガイド部を備える、
ことを特徴とする切断装置。
【請求項５】
前記押圧部は、反力によって前記可動ユニットを前記一方の刃に向けて押圧する弾性部材である、
ことを特徴とする請求項４に記載の切断装置。
【請求項６】
前記可動ユニットは、前記一方の刃の刃先に対して直行する方向に移動する、
ことを特徴とする請求項４又は請求項５に記載の切断装置。
【請求項７】
前記他方の刃は、刃先の基端から先端に向かって前記一方の刃から離れる方向に傾斜するシャー角を有する、
ことを特徴とする請求項４から請求項６までのいずれか１つに記載の切断装置。
【請求項８】
前記２つの刃の少なくとも一方は、表面にＤＬＣ被膜が施されている、
ことを特徴とする請求項４から請求項７までのいずれか１つに記載の切断装置。
【手続補正２】
【補正対象書類名】明細書
【補正対象項目名】０００６
【補正方法】変更
【補正の内容】
【０００６】
本発明は、２つの刃を噛み合わせることで切断対象物を切断する切断装置である。そして、２つの刃のうちの一方の刃が固定される固定プレートと、固定プレートに対向するように設けられ、固定プレートに向かって移動する移動プレートと、移動プレートの固定プレートとの対向面に設けられ、２つの刃のうちの他方の刃が固定されるとともに対向面の面内方向に移動可能な可動ユニットと、他方の刃の刃先が一方の刃の刃先に対して平行に維持された状態のまま、他方の刃が一方の刃に接しながら噛み合うように、少なくとも２つの刃の噛み合い時に可動ユニットを一方の刃に向けて押圧する押圧部と、を備え、他方の刃は、一方の刃と噛み合う前にその一方の刃と摺接しつつ他方の刃と一方の刃との隙間が略ゼロになるように他方の刃と一方の刃の位置を調整する斜面が形成されたガイド部を備えることを特徴とする。
【手続補正３】
【補正対象書類名】明細書
【補正対象項目名】０００７
【補正方法】変更
【補正の内容】
【０００７】
また、本発明は、２つの刃のうちの一方の刃と、他方の刃とを噛み合わせることで切断対象物を切断する切断方法である。そして、他方の刃の刃先を一方の刃の刃先に対して平行に維持した状態のまま、他方の刃が一方の刃に接しながら噛み合うように他方の刃を移動させて切断対象物を切断し、他方の刃は、斜面が形成されたガイド部を備え、その斜面が一方の刃と摺接しつつ他方の刃と一方の刃との隙間が略ゼロになるように他方の刃と一方の刃の位置を調整することを特徴とする。
【手続補正書】
【提出日】平成25年5月1日(2013.5.1)
【手続補正１】
【補正対象書類名】明細書
【補正対象項目名】００２１
【補正方法】変更
【補正の内容】
【００２１】
本発明は、「雪面上での滑走性能に優れた合成樹脂からなる主滑走面と、当該主滑走面を構成する合成樹脂より耐熱性に優れた補強材からなり、前記主滑走面と両側縁のエッジとの間においてエッジと接して設けられた補強滑走面とを備えたスキー又はスノーボードであって、
前記補強滑走面は、滑走者による荷重によってスキー又はスノーボードが平坦な状態となる接雪部と対応してその接雪部の長さの少なくとも９０％以上の長さに亘って設けられており、かつ、当該補強滑走面の幅は１０〜３０ｍｍであるスキー又はスノーボード。」を最も主要な特徴とするものである。
【手続補正２】
【補正対象書類名】明細書
【補正対象項目名】００３１
【補正方法】変更
【補正の内容】
【００３１】
本発明は、雪面上での滑走性能に優れた合成樹脂からなる主滑走面と、当該主滑走面を構成する合成樹脂より耐熱性に優れた補強材からなり、前記主滑走面と両側縁のエッジとの間においてエッジと接して設けられた補強滑走面とを備えたスキー又はスノーボードであって、前記補強滑走面は、滑走者による荷重によってスキー又はスノーボードが平坦な状態となる接雪部（硬い平坦な床面上で滑走者による荷重を中央部に加えた場合にスキー又はスノーボードが床面に沿って平坦な状態となる部分）と対応してその接雪部の長さの少なくとも９０％以上の長さに亘って設けられており、かつ、当該補強滑走面の幅は１０〜３０ｍｍであるスキー又はスノーボードである。
【手続補正３】
【補正対象書類名】特許請求の範囲
【補正対象項目名】全文
【補正方法】変更
【補正の内容】
【特許請求の範囲】
【請求項１】
雪面上での滑走性能に優れた合成樹脂からなる主滑走面と、
当該主滑走面を構成する合成樹脂より耐熱性に優れた補強材からなり、前記主滑走面と両側縁のエッジとの間においてエッジと接して設けられた補強滑走面と
を備えたスキー又はスノーボードであって、
前記補強滑走面は、滑走者による荷重によってスキー又はスノーボードが平坦な状態となる接雪部と対応してその接雪部の長さの少なくとも９０％以上の長さに亘って設けられており、かつ、当該補強滑走面の幅は１０〜３０ｍｍであることを特徴とするスキー又はスノーボード。
【請求項２】
前記主滑走面は、ポリエチレン樹脂からなり、前記補強滑走面は、融点が２００℃以上の合成樹脂又は金属からなることを特徴とする請求項１に記載のスキー又はスノーボード。
【請求項３】
前記補強滑走面は、ポリブチレンテレフタレート樹脂からなることを特徴とする請求項１又は請求項２に記載のスキー又はスノーボード。
【請求項４】
前記補強滑走面は、アルミ合金、チタン合金又はステンレスからなることを特徴とする請求項１又は請求項２に記載のスキー又はスノーボード。
【請求項５】
前記補強滑走面は、その長手方向において、スキー又はスノーボードの有効エッジ長の少なくとも前後２０ｍｍまで延設されていることを特徴とする請求項１ないし請求項４のいずれか一項に記載のスキー又はスノーボード。
【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
被検体の第１の周期的な体動についての体動情報を検出する体動検出手段と、
前記体動検出手段により検出された前記体動情報に基づいて、前記被検体の体動による変位を求める演算手段と、
前記被検体の体動による変位が所望の変位範囲内のときの核磁気共鳴信号の計測を制御する計測制御手段と、
を備え、
前記演算手段は、前記被検体の体動方向が変化したときの変位を含む範囲を、前記所望の変位範囲とする
ことを特徴とする磁気共鳴イメージング装置。
【請求項２】
前記演算手段は、前記体動方向が変化した時点より第１の所定の時間間隔をおいた時点における前記変位を、前記所望の変位範囲の一方の閾値とすることを特徴とする請求項１に記載の磁気共鳴イメージング装置。
【請求項３】
前記体動検出手段は、第１の所定の時間間隔より短い第２の所定の時間間隔で前記体動情報を検出することを特徴とする請求項２に記載の磁気共鳴イメージング装置。
【請求項４】
前記被検体は、第２の周期的な体動を含み、 
前記演算手段は、前記被検体の体動方向が変化した時点を挟んで第２の周期の周期以上の時点における前記変位を、前記所望の変位範囲の一方の閾値とすることを特徴とする請求項２に記載の磁気共鳴イメージング装置。
【請求項５】
前記所望の変位範囲は、前記一方の閾値と他方の閾値との間の範囲であり、
前記演算手段は、前記被検体の体動方向が変化した時点における変位と前記一方の閾値との差分が、前記被検体の体動方向が変化した時点における変位と前記他方の閾値との差分と等しくなるように、前記他方の閾値を設定することを特徴とする請求項２乃至４いずれか一項に記載の磁気共鳴イメージング装置。
【請求項６】
前記第２の周期的な体動の部位は前記被検体の心臓であり、
前記演算手段は、所定期間内に少なくとも２回、前記変位が前記所定の変位範囲より大きいオーバーとなった場合に、前記一方の閾値と前記他方の閾値を再設定することを特徴とする請求項５に記載の磁気共鳴イメージング装置。
【請求項７】
前記第２の周期的な体動の部位は前記被検体の心臓であり、
前記演算手段は、所定回数連続して、前記変位が前記所定の変位範囲より小さいアンダーとなった場合に、前記一方の閾値と前記他方の閾値を再設定することを特徴とする請求項５に記載の磁気共鳴イメージング装置。
【請求項８】
被検体の第１の周期的な体動についての体動情報を検出する体動検出ステップと、
前記体動検出ステップにより検出された前記体動情報に基づいて、前記被検体の体動による変位を求める演算ステップと、
前記被検体の体動による変位が所望の変位範囲内のときの核磁気共鳴信号の計測を制御する計測ステップと、
を備え、
前記演算ステップは、前記被検体の体動方向が変化したときの変位を含む範囲を、前記所望の変位範囲とする
ことを特徴とする磁気共鳴イメージング装置の撮像方法。
【手続補正２】
【補正対象書類名】明細書
【補正対象項目名】０００９
【補正方法】変更
【補正の内容】
【０００９】
上記目的を達成するために、本発明は、被検体の周期的な体動についての体動情報を検出し、体動情報に基づいて被検体の体動による変位を求め、被検体の体動による変位が所望の変位範囲内のときの核磁気共鳴信号の計測行う。その際、被検体の体動方向が変化したときの変位を含む範囲を所望の変位範囲とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正書】
【提出日】平成25年6月18日(2013.6.18)
【手続補正１】
【補正対象書類名】明細書
【補正対象項目名】００２６
【補正方法】変更
【補正の内容】
【００２６】
【図１】リング状ヘッドハンガーを装着した状態の本発明によるハンガーセットにおいて、折畳式ハンガーホルダーのフレーム部の支持棒部が伸直した直線状の状態を示す斜視図である。
【図２】リング状ヘッドハンガーを装着した状態の本発明によるハンガーセットにおいて、折畳式ハンガーホルダーのフレーム部の支持棒部が屈曲状態を示す斜視図である。
【図３】ハンガーセットからリング状ヘッドハンガーを取り外した状態において、折畳式ハンガーホルダーのフレーム部の支持棒部が伸直した直線状の状態を示す斜視図である。
【図４】ハンガーセットからリング状ヘッドハンガーを取り外した状態において、折畳式ハンガーホルダーのフレーム部の支持棒部が屈曲状態を示す斜視図である。
【図５】折畳式ハンガーホルダーを折り畳んだ際に、開閉型フックを支持棒部の第１ハーフ部分と第２ハーフ部分との間に挿入した状態を示す斜視図である。
【図６】図５の状態を更に折り畳んで、第１ハーフ部分と第２ハーフ部分とをほぼ平行にした状態を示す斜視図である。
【図７】本発明による折畳式ハンガーホルダーを２つに折り畳む方法を示した部分拡大図である。
【図８】リング状ヘッドハンガーのリング状ヘッド部を挿入孔に挿入した状態を示す部分拡大図である。
【図９】支持棒部のハンガー係止部の挿入孔にリング状ヘッドハンガーを装着させた場合において、リング状ヘッドハンガーの上方から観察した状態を示す模式図である。
【図１０】図９に示した状態を側面から観察した模式図である。
【図１１】リング状ヘッドハンガーの１つだけを、一方の支持棒部の１つのハンガー係止部に装着した場合の状態を模式的に示す説明図である。
【図１２】図１１のリング状ヘッドハンガーに追加して、もう１つのリング状ヘッドハンガーを、もう一方の支持棒部の隣接するハンガー係止部に装着した場合の状態を模式的に示す説明図である。
【図１３】支持棒部の第１ハーフ部分の５つのハンガー係止部の全てにリング状ヘッドハンガーを装着した場合の状態を模式的に示す説明図である。
【図１４】本発明による折畳式ハンガーホルダーから製造した固定式ハンガー掛け具の一態様において、フレーム部の支持棒部が伸直した直線状の状態を示す斜視図である。
【図１５】図１４の固定式ハンガー掛け具の一態様において、フレーム部の支持棒部が屈曲した折り畳み状態を示す斜視図である。
【図１６】従来から実用化されている１０連タイプの固定型折畳式ハンガー掛け具を物干し竿に吊り下げた状態の斜視図である。
【図１７】開閉可能なリング状ヘッド部を有する衣料用ハンガーの閉環状態を示す斜視図である。
【図１８】開閉可能なリング状ヘッド部を有する衣料用ハンガーの開環状態を示す斜視図である。
【図１９】開閉可能なリング状ヘッド部を有し、更にネック部にハンドル部を備えた衣料用ハンガーの閉環状態を示す斜視図である。
【手続補正書】
【提出日】平成25年6月3日(2013.6.3)
【手続補正１】
【補正対象書類名】明細書
【補正対象項目名】００１８
【補正方法】変更
【補正の内容】
【００１８】
図１及び図２を参照して、ソール部１３１の内側上面にはゴルフクラブヘッド１０の固有振動数を調整する長片状のリブ２０が形成されている。リブ２０は、厚肉領域Ｓ１、薄肉領域Ｓ２及び厚肉領域Ｓ３のうち、薄肉領域Ｓ２上のみにおいてトウ側からヒール側に延設され、ソール部１３１をトウ側からヒール側に横断している。そして、リブ２０の一方端部２０ａはトウ側のサイド部１３２ａに接続され、リブ２０の他方端部２０ｂはヒール側のサイド部１３２ｂに接続されている。本実施形態の場合、リブ２０はソール部１３１、サイド部１３２ａ及び１３２ｂと一体成形されているが、別部材としてソール部１３１、サイド部１３２ａ及び１３２ｂに固着してもよい。
【手続補正２】
【補正対象書類名】図面
【補正対象項目名】図２
【補正方法】変更
【補正の内容】
【図２】
2012000396.tif 000001
【手続補正書】
【提出日】平成25年3月15日(2013.3.15)
【手続補正１】
【補正対象書類名】明細書
【補正対象項目名】０００７
【補正方法】変更
【補正の内容】
【０００７】
したがって、本発明の課題は、前述した従来技術が有する欠点を解消し得る発熱体の製造方法を提供することにある。
【手続補正２】
【補正対象書類名】明細書
【補正対象項目名】００５３
【補正方法】変更
【補正の内容】
【００５３】
発熱層の形成に用いられる塗料においては、被酸化性金属の粒子を１００部とすると、反応促進剤は、1〜２０部、特に２〜１４部含まれていることが好ましい。水は、２５〜８５部、特に３５〜７５部含まれていることが好ましい。増粘剤は、０．０５〜１０部、特に０．１〜５部含まれていることが好ましい。界面活性剤は、０．１〜１５部、特に０．２〜１０部含まれていることが好ましい。また、水は塗料の全体の質量を１００％とすると、１８〜４８質量％、特に２３〜４３質量％含まれていることが好ましい。
塗料の塗工坪量は１５０〜４,６００ｇ／ｍ2、特に３００〜２,２００ｇ／ｍ2とすることが好ましい。
塗料の粘度は２３℃・５０％ＲＨにおいて５００〜３０，０００ｍＰａ・sで、特に１,０００〜１５,０００ｍＰａ・sが好ましい。粘度の測定には、Ｂ型粘度計の４号ローターを用いた。
【手続補正３】
【補正対象書類名】明細書
【補正対象項目名】００７４
【補正方法】変更
【補正の内容】
【００７４】
〔実施例１〕
（１）電解質水溶液及び塗料の調製
電解質水溶液として、濃度５％の塩化ナトリウム水溶液を調製した。
また、塗料を調製した。塗料には、被酸化性金属（鉄粉 平均粒径４５μｍ）１００質量部、反応促進剤（活性炭 平均粒径４２μｍ）８質量部、増粘剤（グアガム）０．２質量部、界面活性剤（ポリカルボン酸型高分子界面活性剤）０．２質量部、水６０質量部が配合されている。得られた塗料の粘度は６,５００ｍＰａ・ｓであった。粘度の測定は、Ｂ型粘度計の４号ローターを使用し、２３度５０％ＲＨの環境で行なった。
【手続補正４】
【補正対象書類名】明細書
【補正対象項目名】００８２
【補正方法】変更
【補正の内容】
【００８２】
ＪＩＳ  Ｓ４１００  使い捨てカイロ温度特性測定用温熱装置に準拠した試験法で温度測定を行った。得られた発熱具１００を、坪量１００ｇ／ｍ2のニードルパンチ不織布製の袋に挿入し、これを４０℃の恒温槽の上に置き温度特性を評価した。この袋は、ニードルパンチ不織布の三方をシールすることで袋状に形成したものである。温度計は発熱具１００と恒温槽表面との間に配置する。発熱具１００は、発熱層が形成された側が上方（温度計とは逆の方向）を向くように載置した。その結果、測定開始から８分後に最高温度５８℃となった。
【手続補正書】
【提出日】平成25年3月15日(2013.3.15)
【手続補正１】
【補正対象書類名】明細書
【補正対象項目名】０００８
【補正方法】変更
【補正の内容】
【０００８】
したがって、本発明の課題は、前述した従来技術が有する欠点を解消し得る発熱体の製造方法を提供することにある。
【手続補正２】
【補正対象書類名】明細書
【補正対象項目名】００５４
【補正方法】変更
【補正の内容】
【００５４】
発熱層の形成に用いられる塗料においては、被酸化性金属の粒子１００部に対して、反応促進剤は、1〜２０部、特に２〜１４部含まれていることが好ましい。水は、２５〜８５部、特に３５〜７５部含まれていることが好ましい。増粘剤は、０．０５〜１０部、特に０．１〜５部含まれていることが好ましい。界面活性剤は、０．１〜１５部、特に０．２〜１０部含まれていることが好ましい。
また、水は、塗料の全体の質量を１００％とすると、１８〜４８質量％、特に２３〜４３質量％含まれていることが好ましい。
塗料の粘度は２３℃・５０％ＲＨにおいて５００〜３０，０００ｍＰａ・ｓ、特に１，０００〜１５，０００ｍＰａ・ｓであることが好ましい。粘度の測定には、Ｂ型粘度計の４号ローターを用いた。
【手続補正３】
【補正対象書類名】明細書
【補正対象項目名】００７８
【補正方法】変更
【補正の内容】
【００７８】
〔実施例１〕
（１）塗料及び電解質水溶液の調製
塗料としては、被酸化性金属（鉄粉 平均粒径４５μｍ）１００質量部、反応促進剤（活性炭 平均粒径４２μｍ）８質量部、増粘剤（グアガム）０．２質量部、界面活性剤（ポリカルボン酸型高分子界面活性剤）０．２質量部、水６０質量部が配合されているものを用いた。得られた塗料の粘度は６,５００ｍＰａ・ｓであった。粘度の測定は、Ｂ型粘度計の４号ローターを使用し、２３度５０％ＲＨの環境で行なった。
また、電解質水溶液として、濃度５％の塩化ナトリウム水溶液を調製した。
【手続補正書】
【提出日】平成25年6月21日(2013.6.21)
【手続補正１】
【補正対象書類名】特許請求の範囲
【補正対象項目名】全文
【補正方法】変更
【補正の内容】
【特許請求の範囲】
【請求項１】
遊技媒体を非特定領域及び特定領域のいずれかに振り分ける振分変化装置を含む利益供与装置と、
前記特定領域に振り分けられた遊技媒体を検出する特定領域進入媒体検出手段と、
前記振分変化装置の動作を制御する振分変化制御手段と、
所定の有効期間における前記特定領域進入媒体検出手段による遊技媒体の検出に基づいて、遊技状態を遊技媒体の獲得に関して通常遊技状態より有利な特別遊技状態に移行させる特別遊技状態移行手段と、
を含む遊技機であって、
前記利益供与装置の内部に、前記非特定領域に遊技媒体を案内する第１通路と、前記第１通路の途中から分岐して前記特定領域に遊技媒体を案内する第２通路とが形成されており、
前記振分変化装置は、前記第１通路に進入した遊技媒体を前記非特定領域に案内する非誘導姿勢と前記第１通路に進入した遊技媒体を前記第１通路の途中から離脱させて前記第２通路に誘導する誘導姿勢とをとる振分機構と、前記振分機構の姿勢を切り換える振分切換装置とを含み、
前記振分変化制御手段は、前記振分切換装置の駆動を制御して、前記振分機構を非誘導姿勢から誘導姿勢に移行させた後に、当該誘導姿勢への移行開始からの所定の誘導時間の経過に基づいて非誘導姿勢に復帰させ、
前記特別遊技状態移行手段における前記所定の有効期間は、前記振分機構の誘導姿勢への移行開始に基づいて開始され、前記振分機構の非誘導姿勢への移行開始からの所定の延長時間の経過に基づいて終了する期間であり、
前記振分機構は、非誘導姿勢及び誘導姿勢の双方において前記第２通路を開放している、
ことを特徴とする遊技機。
【請求項２】
前記振分機構は、回動自在に軸支された誘導部材を含み、
前記誘導部材は、非誘導姿勢においては前記第１通路の前記第２通路と反対側の側壁の一部を形成するように前記第１通路の外部に位置し、誘導姿勢においては前記第１通路を進行する遊技媒体が衝突するように前記第１通路の内部に突出し、前記誘導姿勢から前記非誘導姿勢への移行過程において前記第２通路を常に開放している、
請求項１に記載の遊技機。
【請求項３】
前記振分切換装置は、プル型ソレノイドであり、
前記振分機構は、前記プル型ソレノイドの消磁状態において非誘導姿勢をとり、前記プル型ソレノイドの励磁状態において誘導姿勢をとる、
請求項２に記載の遊技機。
【請求項４】
前記第１通路は、前記第２通路への分岐部位より遊技媒体の進行経路の上流側において曲折している請求項２又は３に記載の遊技機。
【手続補正２】
【補正対象書類名】明細書
【補正対象項目名】０００７
【補正方法】変更
【補正の内容】
【０００７】
上記の課題を解決するために、本発明に係る遊技機は、
遊技媒体を非特定領域及び特定領域のいずれかに振り分ける振分変化装置を含む利益供与装置と、
前記特定領域に振り分けられた遊技媒体を検出する特定領域進入媒体検出手段と、
前記振分変化装置の動作を制御する振分変化制御手段と、
所定の有効期間における前記特定領域進入媒体検出手段による遊技媒体の検出に基づいて、遊技状態を遊技媒体の獲得に関して通常遊技状態より有利な特別遊技状態に移行させる特別遊技状態移行手段と、
を含む遊技機であって、
前記利益供与装置の内部に、前記非特定領域に遊技媒体を案内する第１通路と、前記第１通路の途中から分岐して前記特定領域に遊技媒体を案内する第２通路とが形成されており、
前記振分変化装置は、前記第１通路に進入した遊技媒体を前記非特定領域に案内する非誘導姿勢と前記第１通路に進入した遊技媒体を前記第１通路の途中から離脱させて前記第２通路に誘導する誘導姿勢とをとる振分機構と、前記振分機構の姿勢を切り換える振分切換装置とを含み、
前記振分変化制御手段は、前記振分切換装置の駆動を制御して、前記振分機構を非誘導姿勢から誘導姿勢に移行させた後に、当該誘導姿勢への移行開始からの所定の誘導時間の経過に基づいて非誘導姿勢に復帰させ、
前記特別遊技状態移行手段における前記所定の有効期間は、前記振分機構の誘導姿勢への移行開始に基づいて開始され、前記振分機構の非誘導姿勢への移行開始からの所定の延長時間の経過に基づいて終了する期間であり、
前記振分機構は、非誘導姿勢及び誘導姿勢の双方において前記第２通路を開放している、
ことを特徴としている。
【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
被記録媒体上の印刷不可領域を検知する検知手段と、
被記録媒体上に画像を印刷させるとともに、前記検知手段で検知された印刷不可領域への印刷をスキップさせるよう制御する印刷制御手段とを有し、
前記印刷制御手段は、前記検知手段で検知された印刷不可領域に応じて印刷をスキップさせる量を変更可能であることを特徴とする印刷制御装置。
【請求項２】
前記印刷制御手段は、キューにより管理されている印刷ジョブに基づき印刷を行わせるものであり、印刷をスキップさせる際、スキップさせる量に応じた余白を設定するためのジョブをキューに登録することを特徴とする請求項１に記載の印刷制御装置。
【請求項３】
前記検知手段は、被記録媒体上の画像を読み取ることにより印刷不可領域を検知することを特徴とする請求項１または２に記載の印刷制御装置。
【請求項４】
前記印刷制御手段は、被記録媒体上の前記検知手段により検知された印刷不可領域を含む領域をカッターで切断させるためのカットマークを印刷させることを特徴とする請求項１〜３のいずれか１項に記載の印刷制御装置。
【請求項５】
前記印刷制御手段は、被記録媒体の両面に画像を印刷可能であり、前記検知手段により被記録媒体の一方の面に印刷不可領域が検知された場合、当該被記録媒体の反対面の当該印刷不可領域への印刷をスキップさせることを特徴とする請求項１〜４のいずれか１項に記載の印刷制御装置。
【請求項６】
被記録媒体上の印刷不可領域を検知し、
被記録媒体上に画像を印刷させる際、検知された印刷不可領域への印刷をスキップさせるとともに、
前記検知された印刷不可領域に応じて印刷をスキップさせる量を変更可能であることを特徴とする印刷制御方法。
【手続補正２】
【補正対象書類名】明細書
【補正対象項目名】発明の名称
【補正方法】変更
【補正の内容】
【発明の名称】印刷制御装置及び印刷制御方法
【手続補正３】
【補正対象書類名】明細書
【補正対象項目名】０００１
【補正方法】変更
【補正の内容】
【０００１】
本発明は、被記録媒体に印刷を行わせる印刷制御装置及び方法に関するものである。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
上述の課題を解決するため、本発明の印刷制御装置は、被記録媒体上の印刷不可領域を検知する検知手段と、被記録媒体上に画像を印刷させるとともに、前記検知手段で検知された印刷不可領域への印刷をスキップさせるよう制御する印刷制御手段とを有し、前記印刷制御手段は、前記検知手段で検知された印刷不可領域に応じて印刷をスキップさせる量を変更可能であることを特徴とする。
【手続補正６】
【補正対象書類名】明細書
【補正対象項目名】０００７
【補正方法】変更
【補正の内容】
【０００７】
本発明では、印刷不可領域に応じた量をスキップさせて被記録媒体上に印刷させることができる。
【手続補正書】
【提出日】平成25年4月9日(2013.4.9)
【手続補正１】
【補正対象書類名】特許請求の範囲
【補正対象項目名】全文
【補正方法】変更
【補正の内容】
【特許請求の範囲】
【請求項１】
金型のキャビティ内に半導体チップをダイパッドに搭載したリードフレームを配置する工程と、
前記キャビティに樹脂を充填し、前記半導体チップ、及び前記ダイパッドを上面及び下面から前記樹脂によって封止する工程と、
前記キャビティの上面から突出する第１エジェクタピン、及び前記キャビティの底面から突出する第２エジェクタピンにより前記リードフレームを金型から押し出す工程と、
を備え、
平面視において前記第２エジェクタピンのうち前記樹脂に押圧する部分は、前記第１エジェクタピンのうち前記樹脂に押圧する部分の内側に位置する半導体装置の製造方法。
【手続補正２】
【補正対象書類名】明細書
【補正対象項目名】発明の名称
【補正方法】変更
【補正の内容】
【発明の名称】半導体装置の製造方法
【手続補正３】
【補正対象書類名】明細書
【補正対象項目名】００２６
【補正方法】変更
【補正の内容】
【００２６】
以上、図面を参照して本発明の実施形態について述べたが、これらは本発明の例示であり、上記以外の様々な構成を採用することもできる。
以下、参考形態の例を付記する。
１．半導体チップと、
前記半導体チップをダイパッドに搭載したリードフレームと、
前記半導体チップ、及び前記ダイパッドを上面及び下面から封止した樹脂と、
を備え、
前記樹脂は、
表面に設けられた第１凹部と、
裏面に設けられ、平面視で前記第１凹部の内側に位置する第２凹部と、
を有する半導体装置。
２．１．に記載の半導体装置において、
前記第１凹部、及び前記第２凹部はエジェクタピンにより形成された跡である半導体装置。
３．１．または２．に記載の半導体装置において、
前記表面を捺印面とする半導体装置。
４．半導体装置の保管方法であって、
前記半導体装置は、
半導体チップと、
前記半導体チップをダイパッドに搭載したリードフレームと、
前記半導体チップ、及び前記ダイパッドを上面及び下面から封止した樹脂と、
を備え、
前記樹脂は、
表面において設けられた第１凹部と、
裏面に設けられ、平面視で前記第１凹部の内側に位置する第２凹部と、
を有しており、
平面視において、上側の前記半導体装置の前記第２凹部が、下側の前記半導体装置の前記第１凹部の内側に位置するように前記半導体装置を重ね合わせる半導体装置の保管方法。
５．４．に記載の半導体装置の保管方法において、
複数の前記半導体装置は、前記リードフレームが互いにつながったフレーム単位で保管されており、複数の前記フレームを重ねて保管する半導体装置の保管方法。
６．金型のキャビティ内に半導体チップをダイパッドに搭載したリードフレームを配置する工程と、
前記キャビティに樹脂を充填し、前記半導体チップ、及び前記ダイパッドを上面及び下面から前記樹脂によって封止する工程と、
前記キャビティの上面から突出する第１エジェクタピン、及び前記キャビティの底面から突出する第２エジェクタピンにより前記リードフレームを金型から押し出す工程と、
を備え、
平面視において前記第２エジェクタピンのうち前記樹脂に押圧する部分は、前記第１エジェクタピンのうち前記樹脂に押圧する部分の内側に位置する半導体装置の製造方法。
７．キャビティにおいて半導体チップをダイパッドに搭載したリードフレームを保持し、前記半導体チップ、及び前記ダイパッドを上面及び下面から樹脂によって封止する金型と、
前記キャビティの上面から突出する第１エジェクタピンと、
前記キャビティの底面から突出する第２エジェクタピンと、
を備え、
平面視において前記第２エジェクタピンのうち前記樹脂に押圧する部分は、前記第１エジェクタピンのうち前記樹脂に押圧する部分の内側に位置する半導体製造装置。
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
複数の繊維シートが積層された液体を保持するための液体吸収部材が内部に収容されている液体収納容器の製造方法であって、
第一の圧縮部材を用いて、前記液体吸収部材の外面のうち、前記繊維シートの積層面に沿い、互いに対向する二面から前記液体吸収部材を圧縮し、
第二の圧縮部材を用いて、前記液体吸収部材の前記外面のうち、前記積層面に交差し、互いに対向する二面から前記液体吸収部材を圧縮し、
圧縮の際に前記液体吸収部材と当接する前記第二の圧縮部材の面の、前記繊維シートの積層方向における長さが、圧縮後の前記液体吸収部材の前記積層方向における長さよりも短い液体収納容器の製造方法。
【請求項２】
前記第一の圧縮部材を用いて前記液体吸収部材を圧縮した後、前記第二の圧縮部材を用いて前記液体吸収部材を圧縮する請求項１に記載の液体収納容器の製造方法。
【請求項３】
前記第二の圧縮部材は前記積層方向における前記液体吸収部材の中央部に当接して前記液体吸収部材を圧縮する請求項１又は２に記載の液体収納容器の製造方法。
【請求項４】
前記積層面に沿う二面は前記積層面に略平行であり、前記積層面に交差する二面は前記積層面と略垂直である請求項１乃至３のいずれかに記載の液体収納容器の製造方法。
【請求項５】
前記第一の圧縮部材及び前記第二の圧縮部材は前記液体吸収部材と当接する面に平板状のガイドを備え、
前記第一の圧縮部材及び前記第二の圧縮部材の前記ガイドを前記液体収納容器の内部に挿入させ、前記第一の圧縮部材及び前記第二の圧縮部材を用いて圧縮された前記液体吸収部材を前記液体収納容器に挿入する請求項１乃至４のいずれかに記載の液体収納容器の製造方法。
【請求項６】
請求項１乃至５のいずれかに記載の方法により製造され、前記積層面が前記液体収納容器の底面と略垂直をなす方向で前記液体吸収部材が収容された液体収納容器。
【手続補正２】
【補正対象書類名】明細書
【補正対象項目名】００１０
【補正方法】変更
【補正の内容】
【００１０】
本発明に係る液体収納容器の製造方法は、複数の繊維シートが積層された液体を保持するための液体吸収部材が内部に収容されている液体収納容器の製造方法であって、第一の圧縮部材を用いて、前記液体吸収部材の外面のうち、前記繊維シートの積層面に沿い、互いに対向する二面から前記液体吸収部材を圧縮し、第二の圧縮部材を用いて、前記液体吸収部材の前記外面のうち、前記積層面に交差し、互いに対向する二面から前記液体吸収部材を圧縮し、圧縮の際に前記液体吸収部材と当接する前記第二の圧縮部材の面の、前記繊維シートの積層方向における長さが、圧縮後の前記液体吸収部材の前記積層方向における長さよりも短い。
【誤訳訂正書】
【提出日】平成25年4月24日(2013.4.24)
【誤訳訂正１】
【訂正対象書類名】明細書
【訂正対象項目名】００４１
【訂正方法】変更
【訂正の内容】
【００４１】
さらに、遠位側３０のループ３２は曲げられて凹状のループを形成しうるが、近位側４０のループ４２は平坦でありうる（図１３）。本実施形態においては、近位側４０のループ４２の最も外側の部分４２が近位側３０のループ３２の最も外側の部分に対向しており、以下に詳しく述べられるように、それによってインビボでその所望の位置でオクルダー２０を固定する所望の対向する力を生み出す。こうして構成され、インビボでオクルダー２０の展開後に中隔組織１２で側面３０および４０によって出される対向する圧縮力は、一部の種類のＰＦＯの閉鎖など、特定の状況下で有利である。
【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
規定数のキャラクタで構成されたプレーヤチーム同士で対戦するゲームを実行するコンピュータシステムであって、
各キャラクタそれぞれに対応づけて、当該キャラクタに関するオブジェクトに付与されたオブジェクト固有のＩＤ（以下「オブジェクトＩＤ」という。）を記憶するＩＤ記憶手段と、
プレーヤ端末からの操作入力に従って前記オブジェクトＩＤの使用登録要求を受け付ける使用登録受付手段と、
前記使用登録受付手段により受け付けられたオブジェクトＩＤが、既に登録済みであった場合には使用登録を不許可とし、未登録であった場合には使用登録を許可として、各オブジェクトＩＤの使用登録の有無を管理する登録管理手段と、
各プレーヤチームを構成するキャラクタを記憶する記憶手段に、前記登録管理手段により使用登録されたオブジェクトＩＤに対応するキャラクタを、対応するプレーヤチームの所属キャラクタとして記憶させることと、貸し付けられるレンタルキャラクタを、対応するプレーヤチームの所属キャラクタとして記憶させることを行う登録構成手段と、
少なくともスタメン及び交代要員を編成してキャラクタ数が前記規定数となるようにチーム編成を行うチーム編成手段と、
を備え、前記スタメンとして登録されるキャラクタの登録可能数及び前記交代要員として登録されるキャラクタの登録可能数が各々設定されている、
コンピュータシステム。
【請求項２】
前記記憶手段に記憶された各プレーヤチームを構成するキャラクタを一時的にプールするプール手段と、
前記プール手段によりプールされたキャラクタの中から、順番にキャラクタを選択していくことで各プレーヤチームを新たに構成するチーム構成更新手段と、
前記新たに構成されたプレーヤチームを用いてゲーム進行を制御する進行制御手段と、
を備えた請求項１に記載のコンピュータシステム。
【請求項３】
前記チーム構成更新手段は、
キャラクタの選択権を、一巡ごとに順番を変更して前記各プレーヤチームに巡回的に付与する選択権付与手段と、
前記選択権付与手段により選択権が付与されたプレーヤチームのプレーヤの選択指示に従ってキャラクタを選択する選択手段と、
を有する請求項２に記載のコンピュータシステム。
【請求項４】
各プレーヤのプレーヤ端末と通信する通信手段を更に備え、
前記選択手段は、対応するプレーヤ端末から送信された選択指示信号に従ってキャラクタを選択し、所定の制限時間以内に選択指示信号を受信しなかった場合には、当該選択権に係るキャラクタの選択を自動的に行う、
請求項３に記載のコンピュータシステム。
【請求項５】
前記プレーヤ端末から自動選択指示信号を受信する自動選択指示受信手段を更に備え、
前記選択手段は、前記自動選択指示受信手段により前記自動選択指示信号を受信したプレーヤについてはキャラクタの選択を自動的に行う、
請求項４に記載のコンピュータシステム。
【請求項６】
前記プール手段は、複数のプレーヤチームに共通するキャラクタが所属していた場合には、当該キャラクタを異なるキャラクタとしてプールする、
請求項２〜５の何れか一項に記載のコンピュータシステム。
【請求項７】
前記登録構成手段は、前記チーム構成更新手段によって新たに構成されたプレーヤチームに、前記使用登録されたオブジェクトＩＤに対応するキャラクタを追加所属させる追加登録手段を有する、
請求項２〜６の何れか一項に記載のコンピュータシステム。
【請求項８】
各キャラクタそれぞれに対応づけて、当該キャラクタに関するオブジェクトに付与されたオブジェクトＩＤを記憶するＩＤ記憶手段を備えるコンピュータに、規定数のキャラクタで構成されたプレーヤチーム同士で対戦するゲームを実行させるためのプログラムであって、
プレーヤ端末からの操作入力に従って前記オブジェクトＩＤの使用登録要求を受け付ける使用登録受付手段、
前記使用登録受付手段により受け付けられたオブジェクトＩＤが、既に登録済みであった場合には使用登録を不許可とし、未登録であった場合には使用登録を許可として、各オブジェクトＩＤの使用登録の有無を管理する登録管理手段、
各プレーヤチームを構成するキャラクタを記憶する記憶手段に、前記登録管理手段により使用登録されたオブジェクトＩＤに対応するキャラクタを、対応するプレーヤチームの所属キャラクタとして記憶させることと、貸し付けられるレンタルキャラクタを、対応するプレーヤチームの所属キャラクタとして記憶させることを行う登録構成手段、
登録可能数が定められたスタメンとするキャラクタと、登録可能数が定められた交代要員とするキャラクタとを編成してキャラクタ数が前記規定数となるようにチーム編成を行うチーム編成手段、
として前記コンピュータを機能させるためのプログラム。